(57)【要約】【課題】携帯情報機器から送信された音声データに基づく音声を適切に出力することが可能な音声出力制御装置を提供する。【解決手段】無線通信により携帯情報機器と接続し、当該携帯情報機器から送信された音声データを受信する通信手段４０と、音声データと、音声出力装置２１から出力される音声を調整するための出力情報とを音声出力装置に出力する出力手段と、通信手段４０により携帯情報機器と無線通信を開始した時に用いる初期出力情報を、携帯情報機器ごとに対応させて記憶する初期出力情報記憶手段と、を有し、出力手段は、携帯情報機器と無線通信を開始した時に、携帯情報機器に対応させて記憶した初期出力情報に基づいて出力情報を設定することを特徴とする音声出力制御装置。【選択図】  図１
2010166303.tif 000002
【特許請求の範囲】
【請求項１】
無線通信により携帯情報機器と接続し、当該携帯情報機器から送信された音声データを受信する通信手段と、
前記音声データと、音声出力装置から出力される音声を調整するための出力情報とを前記音声出力装置に出力する出力手段と、
前記通信手段により前記携帯情報機器と無線通信を開始した時に用いる出力情報を、初期出力情報として、前記携帯情報機器ごとに対応させて記憶する初期出力情報記憶手段と、を有し、
前記出力手段は、前記携帯情報機器との無線通信の開始時における出力情報を、前記携帯情報機器に対応させて記憶した前記初期出力情報に基づいて設定することを特徴とする音声出力制御装置。
【請求項２】
請求項１に記載の音声出力制御装置であって、
前記出力情報は、前記音声出力装置から出力される音声の音量の情報および／または音声の音質の情報であることを特徴とする音声出力制御装置。
【請求項３】
請求項１または２に記載の音声出力制御装置であって、
前記初期出力情報記憶手段は、現在の出力情報に基づいて、前記初期出力情報を所定の間隔で更新することを特徴とする音声出力制御装置。
【請求項４】
請求項１〜３のいずれかに記載の音声出力制御装置であって、
前記初期出力情報記憶手段は、前記出力情報がユーザにより変更されたかを判断し、前記出力情報がユーザにより変更された場合に、前記出力情報の変更に基づいて、前記初期出力情報を更新することを特徴とする音声出力制御装置。
【請求項５】
請求項１〜４のいずれかに記載の音声出力制御装置であって、
前記初期出力情報記憶手段は、前記初期出力情報を、現在の出力情報に更新することを特徴とする音声出力制御装置。
【請求項６】
請求項１〜４のいずれかに記載の音声出力制御装置であって、
前記初期出力情報記憶手段は、ユーザにより設定された前記出力情報を複数記憶し、前記記憶した複数の出力情報に基づいて平均値を算出し、前記携帯情報機器に対応させて記憶した前記初期出力情報を、前記平均値に基づいて更新することを特徴とする音声出力制御装置。
【請求項７】
携帯情報機器と無線通信し、当該携帯情報機器から送信された音声データと、音声出力装置から出力される音声を調整するための出力情報とを前記音声出力装置に出力する音声出力制御方法であって、
前記携帯情報機器と無線通信を開始した際における、前記出力情報を、前記携帯情報機器に対応させて予め記憶した初期出力情報に基づいて決定することを特徴とする音声出力制御方法。
【発明の詳細な説明】
【技術分野】
【０００１】
本発明は、携帯電話機、携帯オーディオ機などの携帯情報機器と無線通信により接続し、当該携帯情報機器から送信された音声データに基づく音声の出力を制御する音声出力制御装置に関するものである。
【背景技術】
【０００２】
携帯電話機および携帯オーディオ機などの異なる複数の携帯情報機器と無線通信により接続し、これら異なる携帯情報機器から送信された音声データに基づいて音声を出力する通信制御装置が知られている（特許文献１）。
【先行技術文献】
【特許文献】
【０００３】
【特許文献１】特開２００６−３５２５２２号公報
【発明の概要】
【発明が解決しようとする課題】
【０００４】
しかしながら、従来技術では、各携帯情報機器ごとに車載装置から出力される音声の音量、音質は、各携帯情報機器ごとに決められた初期値に基づいて出力されるため、携帯情報機器と車載装置とを接続する度に、ユーザは、車載装置から出力される音声の音量、音質などの出力情報を設定する必要があり、ユーザにとって煩雑となっていた。
【０００５】
本発明が解決しようとする課題は、携帯情報機器から送信された音声データに基づく音声を適切に出力することが可能な音声出力制御装置を提供することである。
【課題を解決するための手段】
【０００６】
本発明は、携帯情報機器と無線通信し、当該携帯情報機器から送信された音声データと、音声出力装置から出力される音声を調整するための出力情報とを前記音声出力装置に出力する際に、前記携帯情報機器と無線通信を開始した際における、前記出力情報を、前記携帯情報機器に対応させて予め記憶した初期出力情報に基づいて決定することにより、上記課題を解決する。
【発明の効果】
【０００７】
本発明によれば、携帯情報機器から送信された音声データに基づく音声を適切に出力することができる。
【図面の簡単な説明】
【０００８】
【図１】第１実施形態に係る音声出力制御システムの構成を示すブロック図である。
【図２】第１実施形態に係る音声出力制御処理を示すフローチャートである。
【図３】第１実施形態に係る車載装置１００と携帯電話機２００との接続までの手順の一例を示す図面である。
【図４】第１実施形態に係る車載装置１００と携帯電話機２００、および車載装置１００と携帯オーディオ機３００との接続の関係を説明するための図である。
【図５】携帯電話機２００に対応させて設定される初期音量および初期音質の一例と、携帯オーディオ機３００に対応させて設定される初期音量および初期音質の一例とを示す図である。
【図６】第１実施形態に係る携帯電話機２００の初期設定登録の手順の一例であり、車載装置１００における手順を説明するための図面である。
【図７】第１実施形態に係る携帯電話機２００の初期設定登録の手順の一例であり、携帯電話機２００における手順を説明するための図面である。
【図８】第２実施形態に係る音声出力制御処理を示すフローチャートである。
【図９】第２実施形態に係る平均値の算出方法を説明するための図面である。
【発明を実施するための形態】
【０００９】
≪第１実施形態≫
以下、本発明の実施形態を図面に基づいて説明する。本実施形態においては、車両に搭載される音声出力制御システムを例示して説明する。ここで、図１は、本実施形態に係る音声出力制御システムの構成を示すブロック図である。図１に示すように、本実施形態において例示する音声出力制御システムは、車両に搭載される車載装置１００とユーザが携帯可能な携帯電話機２００とにより構築される。また、本実施形態に係る音声出力制御システムは、車載装置１００とユーザが携帯可能な携帯オーディオ機３００とによっても構築される。車載装置１００と携帯電話機２００、または車載装置１００と携帯オーディオ機３００とは無線通信、例えば、Ｂｌｕｅｔｏｏｔｈ（登録商標）通信で接続され、相互に音声データ（通話音声データ、楽曲データを含む）の授受を行う。
【００１０】
携帯電話機２００は、一般に携帯電話機が有する通話機能に加えて、携帯電話機２００の内部メモリ、または外部メモリに記憶された音声データ（楽曲データ）を再生する機能をも有する。また、携帯オーディオ機３００は、内部メモリ、または外部メモリに記憶された音声データ（楽曲データ）を再生する機能を有する。さらに、携帯電話機２００や携帯オーディオ機３００は、図示しないＢｌｕｅｔｏｏｔｈモジュールを備え、Ｂｌｕｅｔｏｏｔｈ通信により車載装置１００と接続することにより、音声データを車載装置１００に送信することができる。
【００１１】
車載装置１００は、例えば、車載ナビゲーション装置や車載オーディオ装置などの車両に搭載される機器であって、ユーザの操作に基づいて、ラジオ、ＣＤ再生、ハンズフリー通話、またはＢｌｕｅｔｏｏｔｈオーディオ再生などを行うことができる。ここで、Ｂｌｕｅｔｏｏｔｈオーディオ再生とは、Ｂｌｕｅｔｏｏｔｈ通信により携帯電話機２００または携帯オーディオ機３００から送信された音声データを車載装置１００において再生することをいう。
【００１２】
車載装置１００は、コントローラ１０と、出力装置２０と、入力装置３０と、送受信装置４０とから構成される。車載装置１００を構成するコントローラ１０、出力装置２０、入力装置３０、および送受信装置４０は、ＣＡＮ（Controller Area Network）その他の車載ＬＡＮによって接続され、相互に情報の授受を行う。
【００１３】
出力装置２０は、音声を出力するスピーカ２１と、文字情報、画像情報を出力するディスプレイ２２とを有する。スピーカ２１は、コントローラ１０から、音声データと、音声の音量・音質を決定するための音量情報・音質情報とを受信し、これらの情報に基づいて音声を出力する。また、ディスプレイ２２は、例えば、後述する初期設定登録（ペアリング）の操作画面などを表示することで各種情報をユーザに提示する。
【００１４】
入力装置３０は、ユーザから音声の入力を受け付けるマイクロフォン３１と、ユーザの入力指令を受け付けるタッチパネル３２と、スピーカ２１から出力される音声の音量を変更する音量調整ＳＷ３３と、スピーカ２１から出力される音声の音質を変更する音質調整ＳＷ３４とを含む。マイクロフォン３１は、ユーザから入力された音声に基づいて音声信号を生成し、その音声信号をコントローラ１０に送信する。また、タッチパネル３２は、例えば、後述する初期設定登録（ペアリング）の操作などの各種操作を行うためのものである。なお、タッチパネル３２は、ディスプレイ２２上に配置されてもよいし、ディスプレイ２２とは別に設置してもよい。さらに、入力装置３０は各種スイッチを有し、ユーザは、例えば、音量調整ＳＷ３３、および音質調整ＳＷ３４を用いて、スピーカ２１から出力される音声の音量や音声の音質を、ユーザが望む音量、音質に適宜変更することができる。
【００１５】
送受信装置４０はＢｌｕｅｔｏｏｔｈモジュール４２を内蔵し、送受信装置４０に備えるアンテナ４１を介して、同じくＢｌｕｅｔｏｏｔｈモジュールを備える携帯電話機２００または携帯オーディオ機３００とＢｌｕｅｔｏｏｔｈ無線通信を行う。これにより、送受信装置４０は、携帯電話機２００、または携帯オーディオ機３００から音声データ（楽曲データ、通話音声データを含む）を受信し、この受信した音声データをコントローラ１０に送信する。また、送受信装置４０は、ユーザにより入力された音声に基づいてマイクロフォン３１で生成された音声信号をコントローラ１０から受信し、その音声信号を、送受信装置４０に備えるアンテナ４１を介して、携帯電話機２００に送信する。
【００１６】
加えて、送受信装置４０は、携帯電話機２００と車載装置１００との間にデータの授受が可能な接続状態が確立していない場合、または携帯オーディオ機３００と車載装置１００との間にデータの授受が可能な接続状態が確立していない場合に、アンテナ４１を介して、所定の接続可能エリアに存在するＢｌｕｅｔｏｏｔｈ対応の携帯電話機２００または携帯オーディオ機３００を探索する。
【００１７】
次に、コントローラ１０について説明する。コントローラ１０は、携帯電話機２００または携帯オーディオ機３００から受信した音声データに基づく音声の出力を制御するためのプログラムを格納したＲＯＭ（Read Only Memory）１１と、このＲＯＭ１１に格納されたプログラムを実行するＣＰＵ（Central Processing Unit）１２と、音声の音量・音質を記憶し、またアクセス可能な記憶装置として機能するＲＡＭ（Random Access Memory）１３とから構成される。なお、動作回路としては、ＣＰＵ（Central Processing Unit）１２に代えて又はこれとともに、ＭＰＵ（Micro Processing Unit）、ＤＳＰ（Digital Signal Processor）、ＡＳＩＣ（Application Specific Integrated Circuit）、ＦＰＧＡ（Field Programmable Gate Array）などを用いることができる。
【００１８】
本実施形態のコントローラ１０は、携帯電話機２００または携帯オーディオ機３００に対応させて初期音量・初期音質を記憶する初期出力情報記憶機能と、携帯電話機２００または携帯オーディオ機３００から送信された音声データ、およびスピーカ２１から音声を出力する際の音声の音量・音質を決定するための音量情報・音質情報をスピーカ２１に出力する出力機能とを備える。そして、各機能を実現するためのソフトウェアと、上述したコントローラ１０を含むハードウェアの協働により各機能を実行する。
【００１９】
以下に、上述したコントローラ１０が備える各機能についてそれぞれ詳細に説明する。
【００２０】
まず、コントローラ１０の出力機能について説明する。出力機能は、携帯電話機２００または携帯オーディオ機３００から送信された音声データと、スピーカ２１から音声を出力する際の音声の音量・音質を決定するための音量情報・音質情報とをスピーカ２１に出力する。ここで、音量情報とは、音声の音量に関する情報であり、例えば、音声の音量の大きさ（音量レベル）が挙げられる。また、音質情報とは、音声の音質に関する情報であり、例えば、トレブル（高音域）やバス（低音域）などの音質の情報が挙げられる。なお、音量情報には、例えば、携帯電話機２００の場合であれば、着信音音量レベルや受話音音量レベルなど各種音量レベルが含まれる。また、音量情報および音質情報は、音量レベル、トレブル（高音域）、およびバス（低音域）に限られず、バランスや、フェダーなど、スピーカ２１から出力される音声を調整するために用いられる全ての情報を含めることができる。
【００２１】
加えて、出力機能は、携帯電話機２００と車載装置１００との接続が開始した際、または携帯オーディオ機３００と車載装置１００との接続が開始した際に、後述する初期音量を参照して、現在設定されている音量を設定する。また、同様に、出力機能は、携帯電話機２００と車載装置１００との接続が開始した際、または携帯オーディオ機３００と車載装置１００との接続が開始した際に、後述する初期音質を参照して、現在設定されている音質を設定する。
【００２２】
次に、コントローラ１０の初期出力情報記憶機能について説明する。初期出力情報記憶機能は、携帯電話機２００や携帯オーディオ機３００のデバイスアドレスに対応させて初期音量および初期音質をコントローラ１０のＲＡＭ１３に記憶する。ここで、初期音量とは、車載装置１００と携帯電話機２００、または車載装置１００と携帯オーディオ機３００との間で接続が開始した際に、コントローラ１０に設定される音量の初期値となる音量である。また、初期音質とは、車載装置１００と携帯電話機２００、または車載装置１００と携帯オーディオ機３００との間で接続が開始した際に、コントローラ１０に設定される音質の初期値となる音質である。初期出力情報記憶機能は、後述する初期設定登録（ペアリング）の際に、現在設定されている音量を初期音量として記憶し、また現在設定されている音質を初期音質として記憶する。
【００２３】
さらに、初期出力情報記憶機能は、ハンズフリー通話時またはＢｌｕｅｔｏｏｔｈオーディオ再生時に、所定の間隔で、現在設定されている音量・音質を参照して、携帯電話機２００または携帯オーディオ機３００に対応させて記憶した初期音量・初期音質を更新する。ここで、携帯電話機２００または携帯オーディオ機３００から送信される音声データに基づく音声が、ユーザが望む音量、音質となるように、ユーザは、音量調整ＳＷ３３や音質調整ＳＷ３４を操作して、現在設定されている音量・音質を適宜変更する場合がある。このような場合に、所定の間隔で、初期音量・初期音質を変更後の音量・音質に更新することで、これら初期音量および初期音質に基づいて出力される音声を、ユーザが望む音量、音質で出力することができる。
【００２４】
続いて、図２に示すフローチャートに基づいて、本実施形態に係る音声出力制御処理について説明する。ここで、図２は本実施形態に係る音声出力制御処理を示すフローチャートである。以下の説明においては、車載装置１００と携帯電話機２００との間における音声出力制御処理を例示して説明する。なお、この音声出力制御処理は、コントローラ１０が図示しない車両コントローラからイグニッションオンの信号を受信することで開始される。
【００２５】
まず、ステップＳ１０１では、送受信装置４０が接続可能エリアに存在するＢｌｕｅｔｏｏｔｈ対応の携帯電話機２００を探索する。ここで、図３は、車載装置１００と携帯電話機２００との接続までの手順の一例を示す図面である。車載装置１００を構成するコントローラ１０は、送受信装置４０のＢｌｕｅｔｏｏｔｈモジュール４２に命令し、図３の左図に示すように、車両内の接続可能エリアにＩＱパケットを間欠的に送信させる。そして、図３の右図に示すように、ユーザにより持ち込まれた携帯電話機２００が車内の接続可能エリアに入った際に、携帯電話機２００は送受信装置４０から送信されたＩＱパケットを受信する。そして、携帯電話機２００は、この携帯電話機２００の識別情報であるデバイスアドレスを含むＦＨＳパケットを車載装置１００に送信する。コントローラ１０は、携帯電話機２００からＦＨＳパケットを受信し、次のステップＳ１０２に進む。一方、コントローラ１０がＩＱパケットに対するＦＨＳパケットを携帯電話機２００から受信しない場合（ステップＳ１０１＝ＮＯ）は、ステップＳ１０１に戻り、Ｂｌｕｅｔｏｏｔｈ対応の携帯情報機器の探索を繰り返す。
【００２６】
次に、ステップＳ１０２では、ステップＳ１０１で検出された携帯電話機２００が初期設定登録（ペアリング）されているかを判断する。ここで、初期設定登録（ペアリング）とは、コントローラ１０が、車載装置１００と接続している携帯電話機２００または携帯オーディオ機３００を認識することができるように、コントローラ１０に備えるＲＡＭ１３に、これら携帯電話機２００または携帯オーディオ機３００に固有のデバイスアドレスを登録することをいう。すなわち、初期設定登録（ペアリング）がされた携帯電話機２００は、この携帯電話機２００のデバイスアドレスがコントローラ１０のＲＡＭ１３に記憶されているため、コントローラ１０は、携帯電話機２００のデバイスアドレスを照会することで、この携帯電話機２００が初期設定登録されているか判断できる。そこで、ステップＳ１０２では、コントローラ１０は、ステップＳ１０１で取得したＦＨＳパケットに含まれるこの携帯電話機２００のデバイスアドレスを用いて、この携帯電話機２００のデバイスアドレスを照会する。そして、この携帯電話機２００のデバイスアドレスを照会できた場合は、コントローラ１０は、この携帯電話機２００は初期設定登録されていると判断し、車載装置１００と携帯電話機２００との間でデータの授受が可能な接続状態を確立し、ステップＳ１０３に進む。一方、コントローラ１０が携帯電話機２００のデバイスアドレスを照会できない場合は、コントローラ１０は、この携帯電話機２００は初期設定登録がされていないものと判断し、ユーザにこの携帯電話機２００について初期設定登録を促すため、ステップＳ１０９に進む。
【００２７】
図４は、車載装置１００と携帯電話機２００、および車載装置１００と携帯オーディオ機３００との接続の関係を説明するための図である。図４の左図に示すように、車載装置１００は、携帯電話機２００および携帯オーディオ機３００などの異なる機器とそれぞれ無線通信により接続することができる。例えば、携帯電話機２００について初期設定登録（ペアリング）が行われていれば、携帯電話機２００がユーザにより接続可能エリアに持ち込まれると、図４の右上図に示すように、携帯電話機２００と車載装置１００との間で自動的にデータの授受が可能な接続状態が確立される。また、同様に、携帯オーディオ機３００においても、初期設定登録が行われていれば、ユーザにより携帯オーディオ機３００が接続可能エリアに持ち込まれると、図４の右下図に示すように、携帯オーディオ機３００と車載装置１００との間で自動的にデータの授受が可能な接続状態が確立される。
【００２８】
ステップＳ１０３では、コントローラ１０の出力機能は、この携帯電話機２００のデバイスアドレスに対応させて記憶した初期音量および初期音質を参照して、現在設定されている音量・音質を設定する。すなわち、現在設定されている音量・音質を、携帯電話機２００に対応させて記憶した初期音量および初期音質に設定する。
【００２９】
図５は携帯電話機２００に対応させて記憶した初期音量・初期音質の一例、および携帯オーディオ機３００に対応させて記憶した初期音量・初期音質の一例を示す図である。この携帯電話機２００のデバイスアドレスに対応させて記憶した初期音量・初期音質は、この携帯電話機２００のデバイスアドレスに関連付けてコントローラ１０のＲＡＭ１３に記憶されており、出力機能は、ステップＳ１０１で取得した携帯電話機２００のデバイスアドレスを用いて、この携帯電話機２００の初期音量・初期音質をＲＡＭ１３から読み込むことで、この携帯電話機２００に対応させて記憶した初期音量・初期音質を取得する。図５の左図に示すように、携帯電話機２００が車両内に持ち込まれ、図５の右上図に示すように、携帯電話機２００と車載装置１００との間で接続が開始した際に、携帯電話機２００のデバイスアドレス、例えば、１１：１１：１１：１１に関連付けて記憶した初期音量・初期音質が、音量レベル１３、トレブル（高音域）＋１、バス（低音域）＋２である場合、出力機能は、まず、この携帯電話機２００のデバイスアドレス１１：１１：１１：１１を用いて、この携帯電話機２００に対応させて記憶した初期音量および初期音質である音量レベル１３、トレブル（高音域）＋１、バス（低音域）＋２を取得する。そして、現在設定されている音量・音質を、初期音量・初期音質である音量レベル１３、トレブル（高音域）＋１、バス（低音域）＋２に設定する。一方、図５の左図に示すように、携帯オーディオ機３００が車両内に持ち込まれ、図５の右下図に示すように、携帯オーディオ機３００と車載装置１００との間で接続が開始した際に、携帯オーディオ機３００のデバイスアドレス、例えば、２２：２２：２２：２２に関連付けて記憶した初期音量・初期音質が、音量レベル８、トレブル（高音域）＋３、バス（低音域）＋４である場合、出力機能は、まず、この携帯オーディオ機３００のデバイスアドレス２２：２２：２２：２２を用いて、この携帯オーディオ機３００に対応して記憶した初期音量・初期音質である音量レベル８、トレブル（高音域）＋３、バス（低音域）＋４を取得する。そして、現在設定されている音量・音質を、初期音量・初期音質である音量レベル８、トレブル（高音域）＋３、バス（低音域）＋４に設定する。
【００３０】
次に、ステップＳ１０４では、コントローラ１０の出力機能は、ユーザの操作に基づき、車載装置１００において、ハンズフリー通話、またはＢｌｕｅｔｏｏｔｈオーディオ再生が選択されているか否かを判定する。ハンズフリー通話、またはＢｌｕｅｔｏｏｔｈオーディオ再生が選択されている場合は（ステップＳ１０４＝ＹＥＳ）、ステップＳ１０５に進む。一方、車載装置１００において、ハンズフリー通話、またはＢｌｕｅｔｏｏｔｈオーディオ再生が選択されていない場合（ステップＳ１０４＝ＮＯ）は、ステップＳ１１０に進む。以下においては、ユーザにより、Ｂｌｕｅｔｏｏｔｈオーディオ再生が選択されており、ステップＳ１０５に進んだ場合について説明する。
【００３１】
続く、ステップＳ１０５においては、Ｂｌｕｅｔｏｏｔｈオーディオ再生が車載装置１００で選択されていることから、コントローラ１０の出力機能は、Ｂｌｕｅｔｏｏｔｈオーディオ再生のために携帯電話機２００から送信されてきた音声データと、スピーカ２１から出力される音声を現在設定されている音量・音質とする音量情報・音質情報とをスピーカ２１に出力する。これにより、スピーカ２１は、携帯電話機２００から送信されてきた音声データに基づく音声を、現在設定されている音量・音質で出力する。なお、ステップＳ１０５の間に、ユーザにより、現在設定されている音量または音質が変更された場合は、出力機能は、携帯電話機２００から送信された音声データと、スピーカ２１から出力される音声を変更後の音量・音質とする音量情報・音質情報とをスピーカ２１に出力する。
【００３２】
次のステップＳ１０６では、コントローラ１０の初期出力情報記憶機能が、現在設定されている音量・音質を検出する。車載装置１００に接続している携帯電話機２００は、その携帯電話機２００に固有の音量送出レベルや、その携帯電話機２００において設定された音質に関する情報を有している。そのため、携帯電話機２００から送信された音声データに基づく音声をユーザが望む音量、音質とするために、ユーザは音量調整ＳＷ３３や音質調整ＳＷ３４を操作し、現在設定されている音量・音質を適宜変更する場合がある。例えば、ステップＳ１０５において音量レベルが２に設定されているため、ユーザが携帯電話機２００から送信される音声データに基づく音声を小さいと感じ、ユーザが音量レベルを２から１３に変更した場合、ステップＳ１０６では、初期出力情報記憶機能が、ユーザにより変更されたこの音量レベル１３を検出することができる。なお、ステップＳ１０６は、ステップＳ１０５においてハンズフリー通話による通話、またはＢｌｕｅｔｏｏｔｈオーディオ再生による再生が行われている場合に、所定の時間、例えば、５分間毎に行われる。ステップＳ１０６で現在設定されている音量・音質を検出した後は、ステップＳ１０７に進む。
【００３３】
ステップＳ１０７では、コントローラ１０の初期出力情報記憶機能は、ステップＳ１０６で検出した音量・音質を参照して、この携帯電話機２００に対応させて記憶した初期音量・初期音質を、ステップＳ１０６で検出した音量・音質に更新する。例えば、ステップＳ１０６において、初期出力情報記憶機能が、音量レベル１３、トレブル（高音域）＋１、およびバス（低音域）＋２を検出した場合、ステップＳ１０７において、初期出力情報記憶機能は、この携帯電話機２００のデバイスアドレス１１：１１：１１：１１に対応させて記憶した初期音量・初期音質を、音量レベル１３、トレブル（高音域）＋１、バス（低音域）＋２に更新する。
【００３４】
このように、この携帯電話機２００に対応させて記憶した初期音量・初期音質を、変更後の音量レベル１３、トレブル（高音域）＋１、およびバス（低音域）＋２に更新することで、次回、この携帯電話機２００と車載装置１００とが接続を開始した場合に、ステップＳ１０３において、現在設定されている音量・音質を、更新した初期音量・初期音質である音量レベル１３、トレブル（高音域）＋１、およびバス（低音域）＋２に自動的に設定することができる。
【００３５】
ステップＳ１０８では、コントローラ１０の出力機能は、イグニッションオフの信号を図示しない車両コントローラから受信したかを判断する。イグニッションオフの信号を受信した場合（ステップＳ１０８＝ＹＥＳ）は、この音声出力制御処理を終了する。一方、イグニッションオフの信号を受信していない場合（ステップＳ１０８＝ＮＯ）は、ステップＳ１０４に戻る。すなわち、イグニッションがオンであり、車載装置１００においてハンズフリー通話、またはＢｌｕｅｔｏｏｔｈオーディオ再生が続いている場合には、テップＳ１０４からステップＳ１０８の処理は所定の間隔で繰り返し行われることになる。
【００３６】
また、ステップＳ１０４において、ハンズフリー通話、またはＢｌｕｅｔｏｏｔｈオーディオ再生が選択されなかった場合（ステップＳ１０４＝ＮＯ）は、ステップＳ１１０に進む。ハンズフリー通話、またはＢｌｕｅｔｏｏｔｈオーディオ再生が選択されなかった場合とは、例えば、車載装置１００において、ラジオ、またはＣＤ再生が選択されている場合が挙げられる。このような場合は、ラジオ、またはＣＤ再生の音声データと、スピーカ２１から出力される音声を現在設定されている音量・音質とする音量情報・音質情報とをスピーカ２１に出力し、ステップＳ１０８に進む。
【００３７】
さらに、ステップＳ１０２において、コントローラ１０が携帯電話機２００のデバイスアドレスを照会できない場合（ステップＳ１０２＝ＮＯ）は、携帯電話機２００について初期設定登録（ペアリング）がされていないものと判断して、ステップＳ１０９に進む。ステップＳ１０９では、ユーザに初期設定登録（ペアリング）を促す画面を、ディスプレイ２２に備える画面上に表示する。ここで、図６および図７を用いて、携帯電話機２００の初期設定登録の手順について説明する。図６は、携帯電話機２００の初期設定登録の手順の一例を示し、車載装置１００における登録手順を説明するための図面である。また、図７は、携帯電話機２００の初期設定登録の手順の一例を示し、携帯電話機２００における手順を説明するための図面である。車載装置１００における初期設定登録は、車載されるタッチパネル３２などの入力装置３０を介して行われる。まず、図６に示すように、車載装置１００において、操作Ａ１「“設定スイッチ”を押す」を行うことにより、ディスプレイ２２の画面上に設定メニューを起動させる。設定メニュー上で、操作Ａ２「“電話”を選択」を行い、操作Ａ３「“Ｂｌｕｅｔｏｏｔｈ設定”を選択」を行い、操作Ａ４「“電話機の登録”を選択」を行う。そして、操作Ａ５「“会社（種別）”を選択」を行い、携帯電話機２００の通信サービスを提供する通信事業者を選択することで、図６に示す待機画面に表示されるように、車載装置１００を、携帯電話機２００からの探索を待ち受ける状態とさせる。
【００３８】
一方、図７に示すように、携帯電話機２００において、操作Ｂ１「“メニューボタン”を押す」を行い、操作Ｂ２「“Ｂｌｕｅｔｏｏｔｈ”を選択」、操作Ｂ３「“新規機器登録”を選択」を行うことで、携帯電話機２００においてＢｌｕｅｔｏｏｔｈ接続が可能な車載装置１００を探索する（サーチ画面）。車載装置１００が探索されると、結果が操作Ｂ４に示す画面に表示される。操作Ｂ４「“決定ボタン”を押す」を行い、操作Ｂ５「“パスキー”を入力」を行うことで、携帯電話機２００は車載装置１００に初期設定登録（ペアリング）される。これにより、コントローラ１０のＲＡＭ１３に、この携帯電話機２００のデバイスアドレスが記憶され、また、この携帯電話機２００のデバイスアドレスに対応させて、現在設定されている音量・音質を初期音量・初期音質として記憶する。ステップＳ１０９において初期設定登録を行った後は、ステップＳ１０３に進み、上述したように、ステップＳ１０３以降の処理を行う。
【００３９】
次に、車載装置１００と携帯電話機２００との間の音声出力制御処理が終了し、その後、携帯電話機２００に代えて、携帯オーディオ機３００が車内に持ち込まれ、車載装置１００と携帯オーディオ機３００との間で、図２に示す音声出力制御処理が開始された場面例について説明する。なお、携帯オーディオ機３００は既に初期設定登録（ペアリング）がされており、また、図５の右下図に示すように、携帯オーディオ機３００から送信される音声データに基づく音声を出力するために適した初期音量・初期音質、すなわち、音量レベル８、トレブル（高音域）＋３、バス（低音域）＋４がこの携帯オーディオ機３００に対応させて記憶されているものとする。
【００４０】
ここで、前回の音声出力制御処理、すなわち、携帯電話機２００における音声出力制御処理が終了した時点においては、携帯電話機２００から送信される音声データに基づく音声を、ユーザが望む音量、音質とするために、コントローラ１０に設定されている音量・音質には、図５の右上図に示すように、音量レベル１３、トレブル（高音域）＋１、バス（低音域）＋２が設定されている。しかし、今回、携帯オーディオ機３００と車載装置１００との接続が開始された際に、携帯オーディオ機３００に対応させて記憶した初期音量・初期音質、すなわち、図５の右下図に示す携帯オーディオ機３００に適した音量レベル８、トレブル（高音域）＋３、バス（低音域）＋４が、現在設定されている音量・音質に自動的に設定される（ステップＳ１０３）。このように、ユーザ自らが、音量調整ＳＷ３３や音質調整ＳＷ３４を操作して、現在設定されている音量・音質を変更することなく、この携帯オーディオ機３００から送信される音声データに基づく音声を、ユーザが望む音量、音質において、スピーカ２１から出力させることができる。
【００４１】
携帯電話機２００や携帯オーディオ機３００などの携帯情報機器はそれぞれ固有の音量送出レベルを有し、また、音質を音質スペクトラムレベルで自由に設定できる携帯電話機２００や携帯オーディオ機３００もあれば、プリセットされた音質にのみ設定できる携帯電話機２００や携帯オーディオ機３００もあり、それぞれの携帯電話機２００や携帯オーディオ機３００において設定できる音質の程度も異なる場合がある。さらに、車載装置１００においても音質を調整することができるため、車載装置１００を介して出力される音声は、携帯電話機２００や携帯オーディオ機３００において設定した音質と異なる場合がある。このように、携帯電話機２００や携帯オーディオ機３００から送信される音声データに基づく音声の音量、音質は、それぞれの携帯電話機２００や携帯オーディオ機３００ごとに異なるため、これら携帯電話機２００や携帯オーディオ機３００から送信される音声データに基づく音声をユーザが望む音量、音質で出力させるためには、ユーザは、音量調整ＳＷ３３や音質調整ＳＷ３４などを操作して、現在設定されている音量・音質を変更する必要があり、ユーザにとって煩雑な作業となっていた。さらに、例えば、携帯電話機２００の着信音音量や受話音音量を調整する場合においては、ユーザは、着信音音量や受話音音量の調整と、調整後の音声の確認とを繰り返し行う必要があり、ユーザにとって煩雑な作業となっていた。
【００４２】
これに対して、本実施形態では、携帯電話機２００や携帯オーディオ機３００に対応させて記憶した初期音量・初期音質を、携帯電話機２００または携帯オーディオ機３００が車載装置１００と接続している際にユーザにより設定された音量・音質に更新する。そのため、例えば、車両のイグニッションをオフにして、この携帯電話機２００または携帯オーディオ機３００における音声出力制御処理を終了した後においても、次回、同一の携帯電話機２００または携帯オーディオ機３００が車載装置１００と再度接続を開始する際には、現在設定されている音量・音質を、この携帯電話機２００または携帯オーディオ機３００に対応させて記憶した初期音量・初期音質に自動的に変更することができる。その結果、ユーザが携帯電話機２００または携帯オーディオ機３００ごとに現在設定されている音量・音質をそれぞれ設定することなく、この携帯電話機２００または携帯オーディオ機３００から送信された音声データに基づく音声を、ユーザが望む音量、音質で出力させることができる。つまり、本実施形態においては、携帯電話機２００または携帯オーディオ機３００ごとに携帯電話機２００や携帯オーディオ機３００から送信された音声データに基づく音声をユーザが望む音量、音質とするために、ユーザは現在設定されている音量・音質を設定し直す必要はなくなり、ユーザの煩雑さを解消することができる。例えば、従来、携帯電話器２００の着信音音量や受話音音量を変更するために複数の手順が必要となっていたところ、第１実施形態によれば、携帯電話器２００の着信音音量や受話音音量を自動的に設定することができるため、ユーザの煩雑さは解消される。
【００４３】
≪第２実施形態≫
続いて、第２実施形態に係る音声出力制御処理について説明する。図８は、第２実施形態に係る音声出力制御処理を示すフローチャートである。図９は、第２実施形態における平均値の算出方法を説明するための図面である。第２実施形態では、以下に説明するとおり、図８に示すフローチャートに従って音声出力制御処理が行われる。第２実施形態に係る音声出力制御処理は、ステップＳ２０１が追加され、またステップＳ１０７に代えてステップＳ１０７’が行われること以外は、第１実施形態の音声出力制御処理と同様である。なお、第２実施形態においても、車載装置１００と携帯電話機２００との間における音声出力制御処理を例示して説明する。
【００４４】
まず、第１実施形態と同様に、まず、ステップＳ１０１で、送受信装置４０が、アンテナ４１を介して、接続可能エリア内に存在するＢｌｕｅｔｏｏｔｈ対応の携帯情報機器を探索し、携帯電話機２００を発見する。そして、ステップＳ１０２では、探索された携帯電話機２００が初期設定登録（ペアリング）されているかを判定する。携帯電話機２００が初期設定登録されている場合（ステップＳ１０２＝ＹＥＳ）は、ステップＳ１０３に進む。
【００４５】
ステップＳ１０３では、コントローラ１０の出力機能が、この携帯電話機２００に対応させて記憶した初期音量・初期音質を参照して、現在設定されている音量・音質を、この初期音量・初期音質に設定する。これにより、携帯電話機２００から送信される音声データに基づく音声は、この携帯電話機２００に対応させて記憶した初期音量・初期音質に基づいて出力されることになる。次に、ステップＳ１０４に進み、ユーザの操作に基づき、ハンズフリー通話、あるいは、Ｂｌｕｅｔｏｏｔｈオーディオ再生が選択されているか否かを判定する。ハンズフリー通話、あるいは、Ｂｌｕｅｔｏｏｔｈオーディオ再生が選択されている場合（ステップＳ１０４＝ＹＥＳ）は、ステップＳ１０５に進む。ステップＳ１０５では、第１実施形態と同様に、携帯電話機２００から送信された音声データ、および現在設定されている音量・音質に対応する音量情報・音質情報をスピーカ２１に出力する。
【００４６】
次のステップＳ２０１において、コントローラ１０の初期出力情報記憶機能は、現在設定されている音量または音質が、ユーザにより変更されたか否かを判断する。ここで、図９に示すように、コントローラ１０は、この携帯電話機２００に対応させた音量・音質のデータを複数記憶している。後述するように、第２実施形態においては、コントローラ１０は、ユーザにより音量または音質が変更された場合に、現在設定されている音量・音質をＲＡＭ１３に順次記憶するためである。例えば、図９中のＡ１は、１回前に記憶された音量・音質のデータであり、図９中のＡ２は、２回前に記憶された音量・音質のデータである。同様に、図９中のＡ３〜Ａ６は、それぞれ３回〜６回前に記憶された音量・音質のデータである。そこで、ステップＳ２０１においては、現在設定されている音量・音質と、１回前に記憶されたＡ１の音量・音質のデータとを比較することで、現在設定されている音量または音質が、ユーザにより変更されたか否かを判断する。図９に示す例においては、現在設定されている音量レベルは２であり、１回前に記憶されたＡ１の音量レベルは１３であることから、コントローラ１０の初期出力情報記憶機能は、現在設定されている音量は、ユーザにより変更されたものと判断する。
【００４７】
初期出力情報記憶機能が、現在設定されている音量・音質と、１回前に記憶されたＡ１の音量・音質のデータとが異なるため、現在設定されている音量または音質はユーザにより変更されたものと判断した場合（ステップＳ２０１＝ＹＥＳ）は、ステップＳ１０６に進む。一方、初期出力情報記憶機能が、現在設定されている音量・音質と、１回前に記憶されたＡ１の音量・音質のデータと同じため、現在設定されている音量および音質はユーザにより変更されていないものと判断した場合（ステップＳ２０１＝ＮＯ）は、ステップＳ１０８に進む。このように、ユーザが現在設定されている音量・音質を変更した場合に限り、ステップＳ１０６以降の処理に進み、後述するステップＳ１０７’の平均値算出処理を行うようにすることで、平均値算出処理によるＣＰＵ１２の負担を軽減することができる。
【００４８】
続くステップＳ１０６では、第１実施形態と同様に、コントローラ１０の出力機能が、現在設定されている音量・音質を検出する。そして、続くステップＳ１０７’に進む。
【００４９】
ステップＳ１０７’では、コントローラ１０の初期出力情報記憶機能は、まず、現在設定されている音量・音質およびこの携帯電話機２００に対応させて記憶した音量・音質のデータに基づいて平均値を算出する。ここで、図９に示す例において、初期出力情報記憶機能は、現在設定されている音量・音質およびこの携帯電話機２００に対応させて記憶した音量・音質のデータ、すなわち、図９中のＡ１からＡ６までの音量レベル、トレブル（高音域）、バス（低音域）についてそれぞれ平均値を算出する。図９に示す例においては、音量レベルの平均値である１１、トレブル（高音域）の平均値である＋１、バス（低音域）の平均値である＋２をそれぞれ算出する。なお、平均値の算出方法は、相加平均法に限定されず、加重平均、重心などの平均値を算出するために用いられている算出方法で行って良い。また、図９に示した例は、あくまでも平均値を算出するための一例であり、現在設定されている音量・音質およびＡ１からＡ６までの音量・音質のデータを合わせた７回分のデータに基づいて平均値を算出することに限られず、適宜変更してよい。さらに、算出した平均値における小数点以下の値は、四捨五入してもよく、また、現在設定されている音量・音質やＡ１からＡ６までの音量・音質のデータに基づいて切り上げ、または切り捨てを選択してもよい。
【００５０】
そして、ステップＳ１０７’では、コントローラ１０の初期出力情報記憶機能は、平均値を算出した後に、初期音量・初期音質を算出された平均値、すなわち、音量レベル１１、トレブル（高音域）＋１、バス（低音域）＋２に更新する。そして、コントローラ１０の初期出力情報記憶機能は、現在設定されている音量・音質を１回前に記憶した音量・音質、すなわち、図９に示すＡ１の音量・音質のデータとして記憶する。これにより、Ａ１に記憶されていた音量・音質のデータは、２回前に記憶した音量・音質、すなわちＡ２の音量・音質のデータとして繰り下がり、同様に、Ａ２〜Ａ５までに記憶されていた音量・音質のデータも１ずつ繰り下がることになる。なお、６回前に記憶した音量・音質、すなわちＡ６に記憶されていた音量・音質のデータは消去される。
【００５１】
次に、ステップＳ１０８では、第１実施形態と同様に、コントローラ１０の出力機能が、図示しない車両コントローラからイグニッションオフの信号を受信したかを判断し、第１実施形態と同様に、イグニッションオフの信号を受信していない場合（ステップＳ１０８＝ＮＯ）は、ステップＳ１０４に戻り、ステップＳ１０４以降の音声出力制御処理を繰り返し行う。なお、ステップＳ１０２において、携帯電話機２００が初期設定登録（ペアリング）されていない場合、およびステップＳ１０４において、ハンズフリー通話、Ｂｌｕｅｔｏｏｔｈオーディオ再生が選択されなかった場合も、第１実施形態と同様の処理が行われる。
【００５２】
以上のように、第２実施形態では、ユーザによって現在設定されている音量・音質が変更された場合に、現在設定されている音量・音質およびこの携帯電話機２００に対応させて記憶した音量・音質のデータに基づいて平均値を算出し、この平均値を参照して、これら携帯電話機２００や携帯オーディオ機３００に対応させて記憶した初期音量・初期音質を更新する。そして、これら携帯電話機２００と車載装置１００とが接続を開始した場合には、更新した初期音量・初期音質を参照して、現在設定されている音量・音質を自動的に設定する。これにより、第２実施形態においては、第１実施形態の効果に加えて、例えば図９に示すように、携帯電話機２００と車載装置１００とが接続している際に、同乗者への配慮などから、ユーザが音量レベルを１３から２に一時的に変更したまま、車両のイグニッションをオフにし、この携帯電話機２００における音声出力制御処理を終了した場合であっても、次回、ユーザが、この携帯電話機２００を車両内に持ち込んで、この携帯電話機２００と車載装置１００との接続を開始する際に、前回、この携帯電話機２００において一時的に変更した音量レベル２ではなく、この携帯電話機２００に対応させて記憶した音量のデータに基づいて算出した平均値、すなわち音量レベル１１を、現在の音量として自動的に設定することができる。このように、第２実施形態では、ユーザが現在設定されている音量・音質を一時的に変更した場合であっても、この携帯電話機２００から送信される音声データに基づく音声を適切に出力させることができる。
【００５３】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５４】
例えば、第１実施形態において、所定の間隔で初期音量・初期音質を更新するのではなく、第２実施形態と同様に、ユーザにより現在設定されている音量・音質が変更された場合に、初期音量・初期音質を変更後の音量・音質に更新するようにしてもよい。反対に、第２実施形態において、現在設定されている音量・音質と記憶した複数の音量・音質のデータとに基づいて平均値を算出し、この平均値を参照して、初期音量・初期音質を更新することを、第１実施形態と同様に、所定の間隔で行うようにしてもよい。
【００５５】
なお、上述した実施形態の送受信装置４０は本発明の通信手段に、コントローラ１０の初期出力情報記憶機能は本発明の初期出力情報記憶手段に、コントローラ１０の出力機能は本発明の出力手段に、スピーカ２１は本発明の音声出力装置にそれぞれ相当する。
【符号の説明】
【００５６】
１００…車載装置
１０…コントローラ
１１…ＲＯＭ
１２…ＣＰＵ
１３…ＲＡＭ
２０…出力装置
２１…スピーカ
２２…ディスプレイ
３０…入力装置
３１…マイクロフォン
３２…タッチパネル
３３…音量調整ＳＷ
３４…音質調整ＳＷ
４０…送受信装置
４１…アンテナ
４２…Ｂｌｕｅｔｏｏｔｈモジュール
２００…携帯電話機
３００…携帯オーディオ機
【図１】
2010166303.tif 000003
【図２】
2010166303.tif 000004
【図３】
2010166303.tif 000005
【図４】
2010166303.tif 000006
【図５】
2010166303.tif 000007
【図８】
2010166303.tif 000008
【図９】
2010166303.tif 000009
【図６】
2010166303.tif 000010
【図７】
2010166303.tif 000011